(57)【要約】【課題】本発明は、損傷や白化を生ずることなく、樹脂板を目標角度にシャープに折曲げることができる折曲げ装置を提供する。【解決手段】可撓性を有する樹脂板の折曲げ端部を突出させて固定する曲げ型３１と、樹脂板を曲げ型３１のウェッジ部３５ａに沿って所定の角度に塑性変形するように折曲げる折曲げ機構部３２と、から成る折曲げ装置３であって、折曲げ機構部３２は、ウェッジ部３５ａに対し平行に対峙する曲げヘッドと、曲げヘッドをウェッジ部３５ａに倣って移動させて折曲げ動作させる曲げ動作機構３４と、曲げヘッドと樹脂板との間に介設され、折曲げ動作において、一方の面が樹脂板に密着すると共に他方の面に前記曲げヘッドが摺接する緩衝シートと、を備える。【選択図】図４
2010137499.tif 000002
【特許請求の範囲】
【請求項１】
可撓性を有する樹脂板の折曲げ端部を突出させて固定する曲げ型と、前記樹脂板を前記曲げ型のウェッジ部に沿って所定の角度に塑性変形するように折曲げる折曲げ機構部と、から成る折曲げ装置であって、
前記折曲げ機構部は、
前記ウェッジ部に対し平行に対峙する曲げヘッドと、
前記曲げヘッドを前記ウェッジ部に倣って移動させて折曲げ動作させる曲げ動作機構と、
前記曲げヘッドと前記樹脂板との間に介設され、前記折曲げ動作において、一方の面が前記樹脂板に密着すると共に他方の面に前記曲げヘッドが摺接する緩衝シートと、を備えたことを特徴とする折曲げ装置。
【請求項２】
前記緩衝シートは、弾性シートで構成されていることを特徴とする請求項１に記載の折曲げ装置。
【請求項３】
前記弾性シートが、ポリテトラフルオロエチレンシートであることを特徴とする請求項２に記載の折曲げ装置。
【請求項４】
前記緩衝シートを前記曲げヘッドと前記樹脂板との間に供給するシート供給機構を、更に備え、
前記シート供給機構は、
ロール状に巻回して前記緩衝シートを繰り出す繰出し部と、
繰り出された前記緩衝シートの使用済み部分を巻き取る巻取り部と、
前記巻取り部を巻取り駆動する巻取りモータと、有していることを特徴とする請求項１ないし３のいずれかに記載の折曲げ装置。
【請求項５】
前記曲げヘッドが、自由回転ローラで構成されていることを特徴とする請求項１ないし４のいずれかに記載の折曲げ装置。
【請求項６】
前記曲げヘッドを支持するヘッドホルダと、
前記ヘッドホルダと前記曲げ動作機構との間に介設され、前記折曲げ動作において、前記ウェッジ部に対し倣い姿勢を維持するように前記曲げヘッドを支持する自在支持機構と、を更に備えたことを特徴とする請求項１ないし５のいずれかに記載の折曲げ装置。
【請求項７】
前記曲げ動作機構は、
前記ウェッジ部に対して相対的に進退させる進退動作機構と、
前記進退動作機構を介して前記折曲げ部材を前記進退方向に直交する曲げ方向に相対的に移動させる横移動機構とを更に有していることを特徴とする請求項１ないし６のいずれかに記載の折曲げ装置。
【請求項８】
前記樹脂板が回路基板であることを特徴とする請求項１ないし７のいずれかに記載の折曲げ装置。
【発明の詳細な説明】
【技術分野】
【０００１】
本発明は、可撓性基板等の樹脂板を所定の角度で均一且つ高精度に折曲げる折曲げ装置に関する。
【背景技術】
【０００２】
この種のシート折曲げ装置は、小さな曲げ径（大きな曲率）によって所定の曲げ角度（折曲げ後の樹脂シートの為す角）まで曲げることを目的として改良が進められ、例えば、樹脂シートを、固定型の一辺に沿って折曲げ部材を用いて折曲げる装置が知られている。このシート折曲げ装置は、上型と下型からなる固定型と、折曲げ部材とを備えており、固定型に樹脂シートの一端を挟み、固定型に対して折曲げ部材を相対的に昇降駆動させ、折曲げ部を剪断力によって固定型の一辺に沿って、曲げの前後の平面同士の為す角度が略９０°に至るまで折曲げる工程（第１段階）と、折曲げ部材を固定型に沿って回動させることにより、９０°を超える角度まで折曲げる工程（第２段階）と、を連続して行うことによって、一の装置で樹脂シートを効率よく鋭角に折曲げることができる（特許文献１）。
【特許文献１】特開２００６−２５５９５３号公報
【発明の開示】
【発明が解決しようとする課題】
【０００３】
しかしながら、上記の従来の折曲げ装置では、樹脂シートに対して、折曲げ部材を第１段階から第２段階に亘る一連の折曲げ動作させたときに、折曲げ部材が樹脂シートに直接摺接する。このため、樹脂シートの表面に傷が生じ易く、また樹脂シートに不均一な引張り力が作用し、曲げ部分が薄くなって白化や部分的に斑が生ずる問題があった。
【０００４】
本発明は、損傷や白化を生ずることなく、樹脂板を目標角度にシャープに折曲げることができる折曲げ装置を提供することを課題としている。
【課題を解決するための手段】
【０００５】
本発明の折曲げ装置は、可撓性を有する樹脂板の折曲げ端部を突出させて固定する曲げ型と、樹脂板を前記曲げ型のウェッジ部に沿って所定の角度に折曲げる折曲げ部材を有する折曲げ機構部と、を備える折曲げ装置であって、前記折曲げ機構部は、ウェッジ部に対し平行に対峙する曲げヘッドと、曲げヘッドをウェッジ部に倣って移動させて折曲げ動作させる曲げ動作機構と、曲げヘッドと樹脂板との間に介設され、折曲げ動作において、一方の面が樹脂板に密着すると共に他方の面に曲げヘッドが摺接する緩衝シートと、を備えたことを特徴とする。
【０００６】
この構成によれば、曲げヘッドが緩衝シートを介して樹脂板に接することから、折曲げ動作に際して樹脂板の表面に傷が生じたり、不均一な引っ張り力が作用したりすることを回避することができる。これによって、樹脂板の幅方向に対し均一に曲げ力を作用させることができ、樹脂板の幅方向における曲げの角度や曲げの曲率を均一にすることができる。
【０００７】
この場合、緩衝シートは、弾性シートで構成されていることが好ましく、さらに、弾性シートが、ポリテトラフルオロエチレン（テフロン（登録商標））シートであることが好ましい。
【０００８】
これらの構成によれば、樹脂板の曲げ動作において、緩衝シートが曲げ型と摩擦による引っ張り力を生じることなく、樹脂板を均一に押圧して精度良く折曲げることができる。
【０００９】
この場合、緩衝シートを曲げヘッドと樹脂板との間に供給するシート供給機構を、更に備え、シート供給機構は、ロール状に巻回して緩衝シートを繰り出す繰出し部と、繰り出された緩衝シートの使用済み部分を巻き取る巻取り部と、巻取り部を巻取り駆動する巻取りモータと、有していることが好ましい。
【００１０】
これらの構成によれば、曲げ動作時に、曲げヘッドと曲げ型との間に常に新しい緩衝シートが送られるため、一旦使用された緩衝シートの汚れ等が樹脂板に摺接して傷を生じることを防ぐことができる。
【００１１】
この場合、曲げヘッドが、自由回転ローラで構成されていることが好ましい。
【００１２】
この構成によれば、自由回転することによって摩擦抵抗をより低減することができる。
【００１３】
この場合、曲げヘッドを支持するヘッドホルダと、ヘッドホルダと曲げ動作機構との間に介設され、折曲げ動作において、ウェッジ部に対し倣い姿勢を維持するように曲げヘッドを支持する自在支持機構と、を更に備えたことが好ましい。
【００１４】
この構成によれば、曲げヘッドは、緩衝シートを介して樹脂板を挟んでウェッジ部の接線方向、すなわち押圧方向に対し首振り自在に挙動し、樹脂板をその幅方向において均一に押圧する。これにより、樹脂板を曲げ型に精度良く倣わせることができる。すなわち、目標角度に折曲げられるだけでなく、折曲げ線における曲げ径が小さいシャープな折曲げを可能にすることができる。
【００１５】
この場合、曲げ動作機構は、ウェッジ部に対して相対的に進退させる進退動作機構と、進退動作機構を介して折曲げ部材を進退方向に直交する曲げ方向に相対的に移動させる横移動機構とを更に有していることが好ましい。
【００１６】
この構成によれば、進退動作機構によって目標角度に折曲げるために適切な位置に自由回転ローラを配置させることができ、折曲げ線の位置において、横移動機構によってシャープな曲げ角度で均一に折曲げることができる。
【００１７】
この場合、樹脂板が回路基板であることが好ましい。
【００１８】
この構成によれば、一部をシャープな曲げ角度で均一に折曲げた回路基板を提供することができる。
【発明を実施するための最良の形態】
【００１９】
以下、添付の図面を参照して、本発明の実施形態に係る折曲げ装置について説明する。この折曲げ装置は、例えばインクジェットヘッドの製造において、圧電素子を駆動するための駆動回路が実装されている２枚のＣＯＦ基板（Ｃｈｉｐ  Ｏｎ  Ｆｉｌｍ）を、板状部材の両側側面部に接着させるために、所定の角度（９０°）に折曲げるものである。そこで先ず、インクジェットヘッドの構成について簡単に説明する。
【００２０】
図１および図２に示すように、インクジェットヘッド１は、吐出ノズル１６が穿設されたノズルプレート１１と、複数の圧力室１１ａが形成された流路形成基板１２と、圧電素子１９を保護する保護基板１３と、流路形成基板１２および保護基板１３に連通する共通室１７を封止するシール基板１４と、インクジェットヘッド１の外装を為すヘッドケース１５と、を下側から順に積層して構成されている。また、このインクジェットヘッド１には、ヘッドケース１５および保護基板１３を貫通して流路形成基板１２上に立設するように、ヘッド基板２が組み込まれている。ヘッド基板２は、圧電素子１９を駆動させるための駆動回路２５が実装された一対のＣＯＦ基板２２（フィルム基板）を、ベースプレート２１の両側面に接着されて成り、一対のＣＯＦ基板２２の下部折曲げ部分（後述する導通部２７）が、流路形成基板１２上の電極（後述するリード電極１８）に導通している。
【００２１】
ノズルプレート１１は、ステンレス等で形成され、流路形成基板１２の一方の面に接着剤等によって接着されている。また、ノズルプレート１１のノズル面には、複数の吐出ノズル１６が等ピッチで穿設されており、複数の吐出ノズル１６は、相互に平行に列設された２列のノズル列を構成している。
【００２２】
流路形成基板１２は、隔壁によって区画された複数の圧力室１１ａが、複数の吐出ノズル１６に対応するように幅方向に相互に平行に２列並設されている。流路形成基板１２の長手方向外側の領域には、図外の機能液供給装置から供給された機能液を貯留する共通室１７が形成されており、各圧力室１１ａと共通室１７とは、それぞれ供給路１１ｂを介して連通している。なお、共通室１７は、保護基板１３と連通しており、ヘッドケース１５に設けられた機能液導入口１４ａを介して機能液供給装置からの機能液の供給を受ける。
【００２３】
保護基板１３は、流路形成基板１２側から順に、弾性膜１２ａ、絶縁体膜１２ｂを介して流路形成基板１２に連結されている。絶縁体膜１２ｂ上には、複数の圧力室１１ａに対応する数の圧電素子１９が形成されており、保護基板１３には、厚さ方向に貫通する貫通孔１２ｃが形成されると共に、各圧電素子１９を収容するための機構部１２ｄが内側に凹設されている。各圧電素子１９には、リード電極１８の一方の端部が接続されており、リード電極１８の他方の端部は、貫通孔１２ｃ内に露出するように延設している。このリード電極１８の他方の端部には、上記したヘッド基板２（正確には各ＣＯＦ基板２２の導通部２７）が接続されるようになっている。そして、圧電素子１９に電圧を印加して絶縁体膜１２ｂ（および弾性膜１２ａ）を変形させることで、圧力室１１ａの体積変化を利用して共通室１７から機能液を導入すると共に、吐出ノズル１６から機能液滴を吐出する。
【００２４】
ヘッドケース１５は、保護基板１３側から順に、封止膜１３ａ、固定板１３ｂとから成るシール基板１４を介して保護基板１３に連結されている。この封止膜１３ａによってのみ共通室１７が封止されている。ヘッドケース１５には、保護基板１３に設けられた貫通孔１２ｃと連通するヘッド基板保持孔１４ｂが設けられており、ヘッド基板２は、ヘッド基板保持孔１４ｂ内に挿通されて接着剤（異方性導電ペースト）を介してリード電極１８と接続されている。
【００２５】
ヘッド基板２は、ステンレス製の板状部材であるベースプレート２１と、ベースプレート２１の両側面に両面粘着テープ２３により貼付された一対のＣＯＦ基板２２と、から構成されている。各ＣＯＦ基板２２は、圧電素子１９を駆動させるための駆動回路２５と、駆動回路２５が実装されると共に、ベースプレート２１に接着される平板状の基板本体２６と、基板本体２６から「Ｌ」字状に屈曲する導通部２７と、を備えている。両側面に貼付された一対のＣＯＦ基板２２は、導通部２７の先端部が内向きに対峙するように、且つベースプレート２１の下端面に沿うように配置されている。ベースプレート２１が、各ＣＯＦ基板２２の先端部を下にして流路形成基板１２上に突き当てられており、この状態で一対のＣＯＦ基板２２が、接着剤（異方性導電ペースト）を介してリード電極１８に接続される。
【００２６】
次に、図３および図４を用いて本実施形態に係る折曲げ装置３について説明する。この折曲げ装置３は、上述した通り、ＣＯＦ基板２２の基板本体２６と導通部２７とをその境界部（折曲げ線）においてＬ字状に折曲げるものであり、具体的には、ＣＯＦ基板２２の先端部の約０．５ｍｍを９０°に精度良く塑性変形させるための装置である。
折曲げ装置３は、ＣＯＦ基板２２の先端部（導通部２７）を突出させて挟持固定する曲げ型３１と、曲げ型３１のウェッジ部３５ａに倣わせるように倣い動作を行う曲げローラ３７を有するヘッドユニット３３と、ヘッドユニット３３を進退運動および横移動させることによって折曲げ動作させる曲げ動作機構３４と、曲げローラ３７（自由回転ローラ）とＣＯＦ基板２２との間にポリテトラフルオロエチレン（テフロン（登録商標））シート５０（緩衝シート）を供給するシート供給機構６０とから構成されている。請求項で言う折曲げ機構部３２は、ヘッドユニット３３と、曲げ動作機構３４と、シート供給機構６０とから成る。なお、図３および図４において、紙面の上下をＺ軸方向（上下方向）、図３における左右、すなわち曲げローラ３７の軸線方向をＸ軸方向、図４における左右をＹ軸方向として、以降の説明をすすめることとする。
【００２７】
曲げ型３１は、曲げ角度５７ａ（図５）に応じた角度を為すウェッジ部３５ａを有する上型３５と上型３５に平行に設置された下型３６とから成り、上型３５と下型３６とが協働してＣＯＦ基板２２を挟持固定する。上型３５のウェッジ部３５ａの為す角度は、ＣＯＦ基板２２の目標角度５７（本実施形態では９０°）によって決められる。可撓性を有するＣＯＦ基板２２を９０°に塑性変形させるためには、弾性限界を見越してウェッジ部３５ａが９０°よりも鋭角に形成されていることが必要である。一方、下型３６は、ＣＯＦ基板２２を挟持固定する際に、実装されている駆動回路２５が逃げる駆動回路配置溝３６ａを設けている（図４）。ＣＯＦ基板２２は、基板本体２６と導通部２７の境界線を折曲げ線として、ウェッジ部３５ａの先端部に沿って、すなわち導通部２７に相当する部分をウェッジ部３５ａの先端からＺ軸方向（下方）に突出させてセットされ、上型３５と下型３６とで挟持固定される。
【００２８】
ヘッドユニット３３は、曲げ型３１のウェッジ部３５ａに対して平行（Ｘ軸方向）に対峙する曲げローラ３７と、曲げローラ３７を自由回転自在に支持するローラホルダ３８と、ローラホルダ３８を介して曲げローラ３７を首振り自在に支持する自在支持機構３９とから構成されている。
【００２９】
曲げローラ３７は、曲げ型３１のウェッジ部３５ａに平行して設置された円柱状のローラ本体３７ａと、ローラ本体３７ａの両端部から突出した一対のローラ軸４２とから成り、この一対のローラ軸４２の部分でローラホルダ３８に両持ちで回転自在に支持されている。曲げローラ３７は、折曲げにおいてＣＯＦ基板２２を均一に押圧するために、軸方向（Ｘ軸方向）の長さがＣＯＦ基板２２の幅よりも長く形成されていることが好ましい。また、半径は、折曲げ強度に影響が出ない程度の大きさの半径を有している。
【００３０】
ローラホルダ３８は、曲げローラ３７に沿って平行に延在するホルダ本体３８ａと、ホルダ本体３８ａの両端部から延在し、曲げローラ３７のローラ軸４２を両持ちで支持する一対のローラ軸受け部４３とで構成されている。そして、ローラホルダ３８は、ホルダ本体３８ａの長手方向の中間位置において、後述する自在支持機構３９の回動支軸４４に支持されている。
【００３１】
自在支持機構３９は、ホルダ本体３８ａの長手方向の中間位置に貫通するようにＹ軸方向に延設された回動支軸４４と、ローラホルダ３８と後述する曲げ動作機構３４のヘッドベース４８との間に介設された支持部材４５と、ローラホルダ３８とヘッドベース４８との間に渡した一対の復帰ばね４６とから構成されている。回動支軸４４は、ホルダ本体３８ａと支持部材４５とを貫通するようにＹ軸方向に延在し、ローラホルダ３８が回動支軸４４を中心に回動するように、すなわち、曲げローラ３７が回動支軸４４を中心に円弧運動するように支持している。
【００３２】
支持部材４５は、Ｚ軸方向に延在し、上端部に回動支軸４４を固定し下端部でヘッドベース４８に対しＺ軸廻りに回転自在に取り付けられている。これにより、曲げローラ３７は、回動支軸４４を中心にＹ軸廻りに円弧運動すると共にＺ軸廻りに正逆回転する（総じて「首振り動作」）ようになっている。
また、一対の復帰ばね４６は、引張りばね（コイルばね）で構成され、支持部材４５を介してローラホルダ３８の両端部とヘッドベース４８との間に渡すように設置されている。すなわち、一対の復帰ばね４６は、支持部材４５を中心にＸ軸方向において線対称となるように配設されている。一対の復帰ばね４６のばね力は拮抗しており、２方向に首振り動作する曲げローラ３７（およびローラホルダ３８）を、その軸線が常にＸ軸方向に向く中立位置に戻すように作用している。
【００３３】
曲げローラ３７は、上述した回動支軸４４および支持部材４５によって３次元的に首振り自在であり、ＣＯＦ基板２２を曲げ型３１に精度良く倣わせて（Ｘ軸方向およびＺ軸方向）シャープに折曲げることができる。さらに、一対の復帰ばね４６により、曲げローラ３７は、中立位置から首振り動作を開始させ、且つ終了時に中立位置に戻される。したがって、首振り自在な曲げローラ３７の無用なふらつきを防止し、折曲げに適した押圧力をＣＯＦ基板２２に与えることができる。
【００３４】
曲げ動作機構３４は、支持部材４５の下端部でヘッドユニット３３を支持する逆「Ｌ字状の」ヘッドベース４８と、ヘッドベース４８をＺ軸方向にスライド自在に支持するベースフレーム４８ａと、ヘッドベース４８およびベースフレーム４８ａを介してヘッドユニット３３をＺ軸方向に移動させるモータ駆動のＺ軸テーブル（進退動作機構）４９と、Ｚ軸テーブル４９を支持すると共に、Ｚ軸テーブル４９を介してヘッドユニット３３をＹ軸方向に移動させるモータ駆動のＹ軸テーブル（横移動機構）５１と、予め作成された制御テーブルに従って、Ｚ軸テーブル４９およびＹ軸テーブル５１の駆動を制御し、曲げ型３１に対し曲げローラ３７を所定の押圧力を以って曲げ動作させる制御機構５４と、を備えている。
【００３５】
ヘッドベース４８とベースフレーム４８ａとの間には、ヘッドユニット３３をＺ軸方向の上方に付勢する緩衝ばね５６が介設されており、折曲げ動作において、ＣＯＦ基板２２に作用させる曲げローラ３７の押圧力を安定化させ、曲げ力以外の過剰な押圧力がＣＯＦ基板２２にかからないようにしている。
【００３６】
シート供給機構６０は、ロール状に巻回した長尺のポリテトラフルオロエチレンシート５０を繰出す繰出し部６１と、繰出されたポリテトラフルオロエチレンシート５０の使用済み部分を巻き取る巻取り部６２と、巻取り部６２を駆動する巻取りモータ５５とから構成されている。
繰出し部６１は、繰出しリール６３と、これに組み込まれた制動機構６５と、ポリテトラフルオロエチレンシート５０の水平方向の送りをガイドする繰出し側テープガイド４７ａと、を備えている。巻取り部６２は、巻取りリール６４と、巻取りリール６４を巻取り回転させる巻取りモータ５５と、ポリテトラフルオロエチレンシート５０の水平方向の送りをガイドする巻取り側テープガイド４７ｂと、を備えている。なお、繰出し側テープガイド４７ａおよび巻取り側テープガイド４７ｂは、ポリテトラフルオロエチレンシート５０の脱落を防止するフランジ付のガイドピン或いはガイドローラで構成することが好ましい。
【００３７】
巻取りモータ５５が駆動すると、巻取り部６２の巻取り動作に伴って、繰出し部６１からポリテトラフルオロエチレンシート５０が繰り出されてゆく、ポリテトラフルオロエチレンシート５０は、繰出し側テープガイド４７ａにより経路変更され、曲げ型３１とヘッドユニット３３との間隙に送り込まれる。ここで、ポリテトラフルオロエチレンシート５０の送りが停止され、ヘッドユニット３３によりポリテトラフルオロエチレンシート５０を巻き込んだ曲げ動作が実施される。曲げ動作が完了すると、再度、巻取りモータ５５が駆動し、ポリテトラフルオロエチレンシート５０の使用済み部分が巻取り部６２に巻き取られる。また、ポリテトラフルオロエチレンシート５０の送りにおいて、制動機構６５が機能し、ポリテトラフルオロエチレンシート５０に一定のテンションを与え、ポリテトラフルオロエチレンシート５０を張った状態でヘッドユニット３３に臨ませる。
【００３８】
なお、折曲げ動作において、ポリテトラフルオロエチレンシート５０がたるまないように、繰出し側テープガイド４７ａおよび巻取り側テープガイド４７ｂをＺ軸方向にスライド自在に構成すると共に、それぞればね（図示省略）によってＺ軸方向に付勢しておくようにすることが好ましい。
【００３９】
次に、図５を参照して、本実施形態の折曲げ装置３による折曲げ動作について説明する。なお、上述の通り、目標角度５７は９０°とする。
先ず、ＣＯＦ基板２２の折曲げ線を上型３５のウェッジ部３５ａの先端に合わせて、ＣＯＦ基板２２の折曲げ位置を位置決めした状態で、空気圧シリンダ等により上型３５又は下型３６が進退運動を行い、ＣＯＦ基板２２を挟持固定する（図５（ｂ））。このとき、折曲げ線の位置ズレを防ぐために、上型３５に位置決めピンを設けてもよい。
次に、Ｚ軸テーブル４９を駆動し、曲げローラ３７、曲げ型３１からＺ軸方向に突出しているＣＯＦ基板２２の先端部（導通部２７）近傍の開始位置に移動させる（図５（ｂ））。この状態から、曲げ動作の制御テーブルにしたがって、Ｚ軸テーブル４９およびＹ軸テーブル５１の駆動し、曲げローラ３７を曲げ動作させる（図５（ｃ））。このとき、繰出しリール６３から繰出されたポリテトラフルオロエチレンシート５０は、曲げローラ３７と曲げ型３１との間にセットされている。
【００４０】
この曲げ動作において、曲げローラ３７は、ポリテトラフルオロエチレンシート５０を介してＣＯＦ基板２２に転接しながらウェッジ部３５ａに倣って移動する。すなわち、ＣＯＦ基板２２に対しポリテトラフルオロエチレンシート５０を巻き込んだ曲げローラ３７は、Ｙ軸方向およびＺ軸方向において押圧力を作用させながら、「レ」字状の軌跡を描いて移動する。このとき、曲げローラ３７は、ＣＯＦ基板２２から受ける反力により、Ｘ軸方向の微小な円弧運動およびＺ軸廻りの微小な回転を行って、ウェッジ部３５ａに倣った姿勢をとる。これにより、曲げローラ３７は、幅方向においてＣＯＦ基板２２に均一な押圧力を付与しながら、曲げ動作する。すなわち、ＣＯＦ基板２２が折曲げ線においてウェッジ部３５ａに倣うように均一に鋭角に折曲げられる（図５（ｃ））。
【００４１】
一方、この一連の曲げ動作において、ポリテトラフルオロエチレンシート５０は、ＣＯＦ基板２２に密着し、曲げローラ３７に対しその摺接を許容する。すなわち、曲げローラ３７の回転が円滑に行われなくても、ＣＯＦ基板２２に引張り力が作用することがない。このため、実施形態では、曲げローラ３７を用いたが、この曲げローラ３７に代えて、固定的なローラヘッドや、断面が円弧状（半円以上）の曲げヘッドを用いるようにしてもよい。
【００４２】
曲げローラ３７がウェッジ部３５ａの先端部を越えた位置（終了位置）で折曲げ動作が終了し、曲げローラ３７はポリテトラフルオロエチレンシート５０と共に、ＣＯＦ基板２２および曲げ型３１からＺ軸方向の下方に離脱する。押圧力から開放されたＣＯＦ基板２２は残留する弾性により、曲げ角度５７ａがある程度復元し、最終的に目標角度５７である９０°を為す。なお、一連の折曲げ動作において、曲げローラ３７のＣＯＦ基板２２に対する押圧力および曲げローラ３７の移動速度は、制御機構５４によって制御されている。折曲げ動作終了後、ポリテトラフルオロエチレンシート５０の使用済み部分が巻取り部６２に巻き取られ、新たに未使用部分が曲げローラ３７と曲げ型との間にセットされる。
【００４３】
以上説明したように、本実施形態の折曲げ装置３は、ウェッジ部３５ａに倣って曲げ動作する曲げローラ３７を、ポリテトラフルオロエチレンシート５０を介して曲げ型に摺接させて曲げ動作を行うことができるため、ＣＯＦ基板２２の損傷や白化を生ずることなく、精度良く且つ小さい曲げ径で目標角度５７にシャープに折曲げることができる。
【図面の簡単な説明】
【００４４】
【図１】本実施形態に係るインクジェットヘッドの分解斜視図である。
【図２】本実施形態に係るインクジェットヘッドの平面図である。
【図３】本実施形態に係る折曲げ装置正面の模式図である。
【図４】本実施形態に係る折曲げ装置側面の模式図である。
【図５】本実施形態に係る折曲げ装置による折曲げ方法を示す説明図である。
【符号の説明】
【００４５】
１…インクジェットヘッド  ２…ヘッド基板  ３…折曲げ装置  ２２…ＣＯＦ基板  ３１…曲げ型  ３２…折曲げ機構部  ３４…曲げ動作機構  ３５ａ…ウェッジ部  ３７…自由回転ローラ  ３８…ローラホルダ  ３９…自在支持機構  ５０…ポリテトラフルオロエチレンシート
【図１】
2010137499.tif 000003
【図２】
2010137499.tif 000004
【図３】
2010137499.tif 000005
【図４】
2010137499.tif 000006
【図５】
2010137499.tif 000007